(57)【要約】  スプレーディスペンサと、スプレーディスペンサに収納された噴射に適した洗浄組成物とを有する洗浄製品であって、組成物は、ｉ）組成物の少なくとも５重量％の界面活性剤系であって、ｉｉ）両性界面活性剤、双極性界面活性剤、及びその混合物から選択される、界面活性剤系の６０重量％〜９０重量％の主界面活性剤、及びｉｉｉ）界面活性剤系の１０〜４０重量％であって、非イオン性界面活性剤、アニオン性界面活性剤、及びその混合物から選択される、界面活性剤系の１０〜４０重量％の補助界面活性剤、を含む界面活性剤系と、ｉｖ）式１：Ｒ１Ｏ（Ｒ２Ｏ）ｎＲ３、及び式２：Ｒ４Ｏ（Ｒ５Ｏ）ｎＲ６、のグリコールエーテル、及びその組み合わせからなる群から選択されるグリコールエーテル溶剤と、を含み、式中、Ｒ１は直鎖若しくは分岐状Ｃ４、Ｃ５、若しくはＣ６アルキル又は置換若しくは非置換フェニルであり、Ｒ２はエチル又はイソプロピルであり、Ｒ３は水素又はメチルであり、ｎは１、２、又は３であり、Ｒ４はｎ−プロピル又はイソプロピルであり、Ｒ５はイソプロピルであり、Ｒ６は水素又はメチルであり、ｎは１、２、又は３である、製品。
2018522117.tif 000002
【特許請求の範囲】
【請求項１】
スプレーディスペンサと、前記スプレーディスペンサに収納された噴射に適した洗浄組成物と、を有する洗浄製品であって、前記組成物は、
ｉ）前記組成物の少なくとも５重量％の界面活性剤系であって、
ｉｉ）両性界面活性剤、双極性界面活性剤、及びその混合物からなる群から選択される、前記界面活性剤系の６０重量％〜９０重量％の主界面活性剤、及び
ｉｉｉ）前記界面活性剤系の１０〜４０重量％であって、非イオン性界面活性剤、アニオン性界面活性剤、及びその混合物からなる群から選択される、前記界面活性剤系の１０〜４０重量％の補助界面活性剤、を含む界面活性剤系と、
ｉｖ）式１：Ｒ１Ｏ（Ｒ２Ｏ）ｎＲ３、及び
式２：Ｒ４Ｏ（Ｒ５Ｏ）ｎＲ６、のグリコールエーテル、及びその組み合わせからなる群から選択されるグリコールエーテル溶剤と、を含み、
式中、
Ｒ１は直鎖又は分岐状Ｃ４、Ｃ５、又はＣ６アルキル或いは置換又は非置換フェニルであり、Ｒ２はエチル又はイソプロピルであり、Ｒ３は水素又はメチルであり、ｎは１、２、又は３であり、
Ｒ４はｎ−プロピル又はイソプロピルであり、Ｒ５はイソプロピルであり、Ｒ６は水素又はメチルであり、ｎは１、２、又は３である、製品。
【請求項２】
前記主界面活性剤はアミンオキシド、ベタイン、及びその混合物からなる群から選択される、請求項１に記載の製品。
【請求項３】
前記主界面活性剤は両性界面活性剤であって、前記両性界面活性剤はアミンオキシドを含む、請求項１又は２に記載の製品。
【請求項４】
前記補助界面活性剤は非イオン性界面活性剤を含む、請求項１〜３のいずれか一項に記載の製品。
【請求項５】
前記主界面活性剤と前記補助界面活性剤とは、重量比が約１０：１〜約２：１、好ましくは約７：１〜約４：１で存在する、請求項１〜４のいずれか一項に記載の製品。
【請求項６】
前記組成物は、前記グリコールエーテル溶剤を前記組成物の約１重量％〜約７重量％で含む、請求項１〜５のいずれか一項に記載の製品。
【請求項７】
前記グリコールエーテル溶剤は、ジプロピレングリコールｎ−ブチルエーテル、プロピレングリコールｎ−ブチルエーテル、及びその混合物からなる群から選択される、請求項１〜６のいずれか一項に記載の製品。
【請求項８】
前記組成物は、２０℃の蒸留水中にて１０％溶液中で測定された場合、ｐＨが８超、好ましくは９．５〜１１．５であり、ｐＨ１０の組成物１００ｍＬ当たりのＮａＯＨのグラム数で表現される予備アルカリ度が約０．１〜約１である、請求項１〜７のいずれか一項に記載の製品。
【請求項９】
前記組成物は、ｐＨ１０の組成物１００ｍＬ当たりのＮａＯＨのグラム数で表現される予備アルカリ度が約０．１〜約０．５である、請求項１〜８のいずれか一項に記載の製品。
【請求項１０】
前記界面活性剤系と前記溶剤との重量比が約４：１〜約１：１である、請求項１〜９のいずれか一項に記載の製品。
【請求項１１】
前記組成物は、
ｉ）前記組成物の４〜１０重量％のアミンオキシド界面活性剤と、
ｉｉ）前記組成物の１〜５重量％の非イオン性界面活性剤と、
ｉｉｉ）前記組成物の３重量％〜８重量％のグリコールエーテル溶剤、好ましくはジプロピレングリコールｎ−ブチルエーテルと、を含む、請求項１〜１０のいずれか一項に記載の製品。
【請求項１２】
前記組成物はキレート剤、好ましくはアミノカルボキシレートキレート剤、更に好ましくはグルタミン酸−Ｎ，Ｎ−二酢酸塩を更に含む、請求項１〜１１のいずれか一項に記載の製品。
【請求項１３】
前記組成物はビルダー、好ましくはクエン酸塩を更に含む、請求項１〜１２のいずれか一項に記載の製品。
【請求項１４】
前記組成物は重炭酸塩を更に含む、請求項１〜１３のいずれか一項に記載の製品。
【請求項１５】
前記組成物はアルカノールアミン、好ましくはモノエタノールアミンを更に含む、請求項１〜１４のいずれか一項に記載の製品。
【請求項１６】
前記組成物は、Ｃ２〜Ｃ４アルコール、Ｃ２〜Ｃ４ポリオール、ポリアルキレングリコール、及びその混合物からなる群から選択される更なる溶剤を更に含む、請求項１〜１５のいずれか一項に記載の製品。
【請求項１７】
前記組成物は、本明細書に記載の方法で２０℃において測定した場合に、約１〜約２０ｍＰａ  ｓの高剪断粘度（１０，０００ｓ−１）を有する、請求項１〜１６のいずれか一項に記載の製品。
【請求項１８】
前記組成物は、本明細書に記載の方法で２０℃において測定した場合、低剪断（１００ｓ−１）の高剪断粘度に対する比が、約１０：１〜約１．５：１である、請求項１７に記載の製品。
【請求項１９】
前記組成物はレオロジー調整剤、好ましくはキサンタンガムを含む、請求項１〜１８のいずれか一項に記載の製品。
【請求項２０】
ａ）任意選択的に、前記汚れた食器を事前に湿らせる工程と、
ｂ）前記洗浄組成物を前記汚れた食器に噴射する工程と、
ｃ）任意選択的に、前記汚れた食器に水を一定時間加える工程と、
ｄ）任意選択的に前記食器をこすり洗いする工程と、
ｅ）前記食器をすすぐ工程と、を含む、請求項１〜１９のいずれか一項に記載の製品を使用して、汚れた食器を洗う方法。
【発明の詳細な説明】
【技術分野】
【０００１】
本発明は、洗浄製品に関する。特に、本発明はスプレーディスペンサと洗浄組成物を有する洗浄製品に関する。当該製品により、食器洗浄をより簡単に、より早く行うことができる。
【背景技術】
【０００２】
昔からの手洗い食器洗浄方法として、流しに水を溜め、食器洗剤を入れて石鹸水をつくり、そこに汚れた物品を入れてこすり洗いし、すすいで、洗った物品から残っている汚れを落とし、石鹸水の泡を落とすということが行われている。この場合汚れた食器はまとめて一度に洗うのが一般的であった。しかし、現在ではまとめるのではなく、使い終わるたびに物品を洗いたいというユーザーもいる。したがって、この場合一度に洗う物品は１つ又は少量となる。この場合の食器洗浄は、流しに水を溜めるのではなく、水道水を出した状態で行う。食器洗浄は迅速かつユーザーの手間を最小限にして行われるべきである。
【０００３】
現在、水道水を出しながら食器洗浄を行うことを好むユーザーも多い。この場合、ユーザーはスポンジのような食器洗浄器具を使う。ユーザーはスポンジに洗剤をつける。ここで、洗う食器が少ない場合、必要以上の洗剤を出してしまう虞がある。そうすると食器や食器洗浄道具のすすぎに手間がかかる。また、スポンジで水と洗剤を混ぜることが求められる場合がある。その場合は洗浄に時間がかかってしまう。
【０００４】
水道水を出しながら行われる、軽く汚れた物品の洗浄は、迅速かつユーザーの手間を最小限にして行われるべきである。理想を言えば、こすり洗いする手間が省ける又は低減できるよう、洗剤をつけて即、そそぎができればよい。
【０００５】
ユーザーには、得てしてスプレー型製品が好まれる傾向がある。食器の手洗い洗浄に使用されるスプレー型組成物は、迅速に消えにくい泡を噴射しやすく、すすぎやすく、それでありながら様々な汚れを十分に落とすことが求められる。噴射の際に、周囲に拡散しにくい又はしないような組成物とすることが求められる。周囲への拡散は無駄な使用量につながるだけではなく、吸引のリスクも伴い得る。
【発明の概要】
【発明が解決しようとする課題】
【０００６】
本発明の目的は、特に洗浄にかかる時間と手間を減らすことで、食器の手洗いのような洗浄処理を容易にすることである。
【課題を解決するための手段】
【０００７】
本発明の第１の態様に従うと、洗浄製品が提供される。洗浄製品はあらゆる表面の洗浄に対して好適であるが、手洗い用製品であることが好ましい。製品は、スプレーディスペンサと洗浄組成物を有する。当該組成物は噴射に適した発泡組成物である。当該組成物はスプレーディスペンサに収容される。本発明の洗浄製品に対して用いられる組成物は、本明細書内において、「本発明の組成物」と言及されることもある。
【０００８】
本明細書においてスプレーディスペンサは、上記組成物を収容する筐体であり、組成物を噴射する手段を意味する。噴射手段は、トリガー型スプレーである。当該組成物は噴射されると発泡する。発泡はユーザーにとって洗浄に関連した性質である。即ち、組成物により洗浄が実現されているということをユーザーに示すことができるよう、本発明の組成物が発泡することが好ましい。
【０００９】
本発明の組成物は、
ｉ）組成物の少なくとも５重量％、好ましくは６重量％〜１５重量％の界面活性剤系であって、
ｉｉ）両性界面活性剤、双極性界面活性剤、及びその混合物から選択される、界面活性剤系の６０重量％〜９０重量％の主界面活性剤であって、好ましくはアミンオキシド、ベタイン、及びその混合物から選択される主界面活性剤、及び
ｉｉｉ）非イオン性界面活性剤、アニオン性界面活性剤、及びその混合物から選択される、界面活性剤系の１０〜４０重量％の補助界面活性剤、を含む界面活性剤系と、
ｉｖ）式１：Ｒ１Ｏ（Ｒ２Ｏ）ｎＲ３、及び式２：Ｒ４Ｏ（Ｒ５Ｏ）ｎＲ６、のグリコールエーテル、及びその組み合わせからなる群から選択されるグリコールエーテル溶剤とを含み、
式中、
Ｒ１は直鎖若しくは分岐状Ｃ４、Ｃ５、若しくはＣ６アルキル又は置換若しくは非置換フェニルであり、Ｒ２はエチル又はイソプロピルであり、Ｒ３は水素又はメチルであり、ｎは１、２、又は３であり、
Ｒ４はｎ−プロピル又はイソプロピルであり、Ｒ５はイソプロピルであり、Ｒ６は水素又はメチルであり、ｎは１、２、又は３であり。
【００１０】
界面活性剤系とグリコールエーテル溶剤とは、約５：１〜約１：１、好ましくは約３：１〜約１：１の重量比である。界面活性剤系は洗浄及び発泡に寄与するとみなされるものである。上述の界面活性剤のレベルと、具体的な溶剤及び界面活性剤と溶剤の重量比により、良好な発泡性、そして崩れにくい泡が実現される。本発明の組成物を噴射した際に生じる泡は、洗浄対象の物品に接触した際の衝撃に耐えられる強度を有し、それでありながらすすぎやすい。
【００１１】
本発明の組成物は洗浄性に優れ、特に油汚れの十分な洗浄が可能である。本発明の組成物は洗浄性に優れるのみならず、高度な迅速性や使用者によるこすり洗いの手間の削減を実現する。即ち、本発明の製品は、水道水を出しながらの食器洗浄に特に有用である。汚れが少ない食器に対しては、本発明の組成物は、少ないこすり洗い、又はこすり洗い無しで十分な洗浄が可能である。即ち、そのような食器は単に組成物を噴射して、水ですすぐだけで洗浄可能である。任意で軽いふき取り動作を実行してもよい。
【００１２】
かなり汚れた食器であれば、本発明の製品は、前処理に用いると汚れの除去をしやすくすることができる。通常の前処理として、汚れた食器を、製品原液に浸しておくことを含む。
【００１３】
上述の表界面活性剤系のレベルと、グリコールエーテル溶剤に対する界面活性剤の比を有する組成物によると、噴射した際、過剰な噴射量を最小限に抑えて、食器を十分に網羅することができ、無駄な使用量の増加やユーザーによる吸引を防止できる。
【００１４】
界面活性剤と溶剤との重量比が１：１未満の組成物では、発泡不能である、更に／又は相分離が生じて製品の安定性が損なわれる。界面活性剤と溶剤との重量比が５：１を超える組成物では、噴射困難で、本発明の製品が使用される際に水量が低いと、油汚れに接触することでゲル状になりやすい。ゲル状になると、組成物が広がりにくく、洗浄性に悪影響を及ぼす。
【００１５】
好ましくは、２０℃の蒸留水中にて１０％溶液中で測定された場合、ｐＨが８超、好ましくは９〜１２、最も好ましくは９．５〜１１．５であり、予備アルカリ度が約０．１〜約１、より好ましくは約０．１〜約０．５である。本明細書中、予備アルカリ度は、ｐＨ１０の製品を最終組成物のｐＨまで滴定するのに必要な、組成物１００ｍＬ当たりのＮａＯＨのグラムで表される。このｐＨと予備アルカリ度が、落としにくい食物汚れの洗浄性の更なる向上に寄与する。
【００１６】
主界面活性剤と、補助界面活性剤とを含む界面活性剤系を有する組成物は、洗浄性の面で非常に有利であることが確認されている。また、噴射形状の点でも好ましいことが確認されている。本発明の組成物の界面活性剤系がアニオン性界面活性剤を含む場合、小液滴の存在（即ち吸引リスク）が最小限に抑えられる。本明細書において補助界面活性剤とは、主界面活性剤に比較して少量で組成物中に含まれる界面活性剤である。本明細書において主界面活性剤とは、組成物中に最も多く含まれる界面活性剤である。好ましくは主界面活性剤はアミンオキシドを含む。
【００１７】
主界面活性剤は、ベタイン、アミンオキシド、及びその混合物からなる群から選択される。アミンオキシドは本明細書に用いるに適した主界面活性剤である。補助界面活性剤は、非イオン性界面活性剤、アニオン性界面活性剤、及びその混合物からなる群から選択される。主界面活性剤と、補助界面活性剤とが、約１０：１〜約４：１、好ましくは約８：１〜約３：１、最も好ましくは約７：１〜約２：１の重量比で存在する製品は特に高性能となる。組成物において、補助界面活性剤が非イオン性界面活性剤を含むことが特に好ましい。
【００１８】
本発明の組成物は、式１、式２のグリコールエーテル及びその混合物からなる群から選択されるグリコールエーテルを含む。このようなグリコールエーテルが、製品の洗浄速度だけでなく、特に油汚れに対する洗浄性能の向上に寄与することが確認されている。この効果は、式１や式２とは異なる式で表されるグリコールエーテルでは実現されないようである。
【００１９】
好ましくは、本発明の組成物は好ましくはアミノカルボン酸塩キレート剤、より好ましくはＧＬＤＡであるキレート剤を更に含む。アミノカルボン酸塩はキレート剤のみとして作用するのみならず、予備アルカリ度にも寄与する。これは、調理された、焼いた、また焦げ付いた汚れの洗浄に寄与するものと考えられる。好ましくは、本発明の組成物は、重炭酸塩及び／又はモノエタノール及び／又はカルボキシレートビルダーを含む。好ましくはクエン酸塩ビルダーである。これは、アミノカルボン酸塩キレート剤同様、予備アルカリ度にも寄与する。
【００２０】
本明細書の組成物は、ニュートン性又は非ニュートン性であり得る。好ましくは、組成物は擬塑性流体である。このことは、組成物の噴射しやすさの点で重要である。本発明の組成物には、流体が洗浄の際に垂直面にとどまりつつ、すすぎが容易になるような粘度が求められる。特に好適なのは、開始粘度が約１〜約１０ｍＰａ  ｓ高剪断（１０，０００ｓ−１）である組成物である。好ましくは、組成物は、本明細書で以下に定義する方法で２０℃において測定した場合、低剪断（１００ｓ−１）の高剪断（１０，０００ｓ−１）粘度に対する比が約１０：１〜約１．５：１である、擬塑性組成物である。好ましくは、本発明の組成物はキサンタンガムを含む。
【００２１】
好ましい組成物は、２０℃の蒸留水中の１０％溶液として測定された場合、ｐＨが１０〜１１．５であり、ｐＨ１０の組成物１００ｍＬ当たりのＮａＯＨのグラム数で表現される予備アルカリ度は０．１〜０．３であって、該組成物は、
ｉ）組成物の約４〜約１０重量％、好ましくは約５〜約８重量％のアミンオキシド界面活性剤と、
ｉｉ）組成物の約１〜約５重量％の非イオン性界面活性剤と、
ｉｉｉ）組成物の３重量％〜８重量％、好ましくは約４〜約７重量％のグリコールエーテル溶剤、好ましくはジプロピレングリコールｎ−ブチルエーテルと、を含む。
【００２２】
本発明の第２実施形態では、上記請求項のいずれか一項に記載の製品を使用して、汚れた食器を洗う方法であって、
ａ）任意選択的に、汚れた食器を事前に湿らせる工程と、
ｂ）洗浄組成物を汚れた食器に噴射する工程と、
ｃ）任意選択的に、汚れた食器に水を一定時間加える工程と、
ｄ）任意選択的に食器をこすり洗いする工程と、
ｅ）食器をすすぐ工程と、を有す方法が提供される。
【００２３】
本発明の方法により、特に軽く汚れている食器のような食器が、水道水を流しっ放しの状態で、より早く、より簡潔に洗浄可能となる。調理された、焼いた、又は焦げ付いた汚れのような、落ちにくい食物汚れのついた食器に対して、本発明の方法では、本発明の製品を原液で、又は水に溶かし使用して汚れた食器を事前に湿らせることで、洗浄しやすくなる。
【図面の簡単な説明】
【００２４】
【図１】本発明の製品の試験用のセッティングを示す。図１Ａは、第２容器（８）内に第１容器（７）が配置された様子を示す。第２容器は、第１容器の中心で、上下逆さにして載置されている。第１及び第２容器は、堀を画定する側壁（それぞれ３及び２で示す）を有する。第１容器は、オイル供給用の開口部（５）を有する。図１Ｂは、第１容器を取り外す様子を示す。図１Ｃは、水に囲繞されるように生成された島状油を示す。
【発明を実施するための形態】
【００２５】
本発明は、洗浄製品に関し、好ましくは手洗い用洗浄製品に関する。製品は、スプレーディスペンサと、洗浄組成物とを有する。洗浄組成物は、界面活性剤系と特定のグリコールエーテル溶剤とを含む。本発明の製品は、洗浄作業、特に手洗いでの洗浄作業をより簡単に、より早く行うことができるようにすることで、作業性を向上する。本発明の製品は、食器の手洗いに特に好適に用いられる。
【００２６】
本発明において、「食器」は調理器具と食器の両方を含む。
【００２７】
洗浄組成物
洗剤組成物は好ましくは手洗い用食器洗浄組成物であり、好ましくは液状である。
【００２８】
組成物のｐＨは、２０℃の蒸留水で１０％の濃度で測定した場合、好ましくは８超であり、より好ましくは約１０〜約１２であり、最も好ましくは約９．５〜約１１．５である。組成物は、後段にて詳述するように測定した場合、好ましくは予備アルカリ度が約０．１〜約１であり、より好ましくは約０．１〜約０．５である。
【００２９】
予備アルカリ度は、ｐＨ１０の試験組成物のｐＨが試験組成物ｐＨになるまで滴定するために必要な、組成物１００ｇ中のＮａＯＨのグラム数として定義される。溶液の予備アルカリ度は、次のようにして決定される。
【００３０】
Ａｇ／ＡｇＣｌ電極（例えば、Ｏｒｉｏｎ  Ｓｕｒｅ−Ｆｌｏｗ電極モデル９１７２ＢＮ）付きのｐＨ計（例えば、Ｏｒｉｏｎモデル７２０Ａ）を、標準化されたｐＨ７及びｐＨ１０のｐＨ緩衝剤を用いて較正する。２０℃の蒸留水における１０％溶液１００ｇの試験組成物を用意する。１０％溶液のｐＨを測定し、次に、標準化された０．１ＮのＨＣＬ溶液を用いて、１００ｇ溶液がｐＨ１０になるまで滴定する。必要な０．１ＮのＨＣＬ溶液の容積はｍＬ単位で記録する。以下のとおり予備アルカリ度を計算する。
予備アルカリ度＝０．１ＮのＨＣＬの容積（ｍＬ）×０．１（等量／Ｌ）×ＮａＯＨの等量重量（ｇ／等量）×１０
【００３１】
界面活性剤系
洗浄組成物は、好ましくは約５重量％〜約１５重量％、より好ましくは約６重量％〜約１４重量％、特に好ましくは約７重量％〜約１２重量％の界面活性剤系を含む。界面活性剤系は、両性界面活性剤、双極性界面活性剤、及びその組み合わせからなる群から選択される主界面活性剤を含み、両性界面活性剤は好ましくはアミンオキシド界面活性剤を含む。界面活性剤系は、補助界面活性剤を含む。補助界面活性剤は好ましくは非イオン性界面活性剤、アニオン性界面活性剤系、及びその混合物からなる群から選択される。非イオン性界面活性剤が好ましい。
【００３２】
ここでの使用に適した両性界面活性剤は、アミンオキシド界面活性剤を含む。ここでの使用に適した双極性界面活性剤は、ベタイン界面活性剤を含む。
【００３３】
好ましくは、本発明の組成物は、主面活性剤と補助界面活性剤とを重量比約１０：１〜約４：１、好ましくは９：１〜３：１、より好ましくは８：１〜３：１の重量比で存在する。
【００３４】
本発明の洗浄組成物における最も好ましい界面活性剤系は、以下を含む。（１）好ましくはアミンオキシド界面活性剤である主界面活性剤を組成物の４重量％〜１０重量％、好ましくは５重量％〜８重量％。（２）好ましくは非イオン性界面活性剤である、補助界面活性剤組成物の１重量％〜５重量％、好ましくは１重量％〜４重量％。このような界面活性剤系と、本発明のグリコールエーテルを組み合わせることで、特に油汚れの良好な洗浄、発泡性が実現されることが確認されている。
【００３５】
主界面活性剤
主界面活性剤は、両性界面活性剤、双極性界面活性剤、及びその組み合わせからなる群から選択される。
【００３６】
両性界面活性剤
好ましくは、両性界面活性剤はアミンオキシドである。好ましいアミンオキシドは、アルキルジメチルアミンオキシド又はアルキルアミドプロピルジメチルアミンオキシド、より好ましくはアルキルジメチルアミンオキシド、及び特にココジメチルアミンオキシドである。アミンオキシドは、直鎖又は中等度分岐状アルキル基を有し得る。典型的な直鎖アミンオキシドとしては、Ｃ８〜１８アルキル部分である１つのＲ１と、Ｃ１〜３アルキル基及びＣ１〜３ヒドロキシアルキル基からなる群から選択される２つのＲ２及びＲ３部分と、を含有する水溶性アミンオキシドが挙げられる。好ましくは、アミンオキシドは、式：Ｒ１−Ｎ（Ｒ２）（Ｒ３）Ｏ（式中、Ｒ１はＣ８〜１８アルキルであり、Ｒ２及びＲ３はメチル、エチル、プロピル、イソプロピル、２−ヒドロキシエチル、２−ヒドロキシプロピル、及び３−ヒドロキシプロピルからなる群から選択される）により特徴付けられる。直鎖アミンオキシド系界面活性剤としては、具体的には、直鎖Ｃ１０〜Ｃ１８アルキルジメチルアミンオキシド及び直鎖Ｃ８〜Ｃ１２アルコキシエチルジヒドロキシエチルアミンオキシドを挙げることができる。好ましいアミンオキシドとしては、直鎖Ｃ１０、直鎖Ｃ１０〜Ｃ１２、及び直鎖Ｃ１２〜Ｃ１４アルキルジメチルアミンオキシドが挙げられる。本明細書で使用するとき、「中鎖分岐状（mid-branched）」とは、アミンオキシドが、炭素原子ｎ１個を有する１つのアルキル部分を有し、このアルキル部分上の１つのアルキル分岐が炭素原子ｎ２個を有することを意味する。アルキル分岐は、アルキル部分の窒素のα炭素に位置する。アミンオキシドにおけるこのタイプの分岐は、当該技術分野において、内部アミンオキシドとしても知られている。ｎ１とｎ２の合計は、１０〜２４個の炭素原子、好ましくは１２〜２０個、より好ましくは１０〜１６個である。１つのアルキル部分と１つのアルキル分岐とが対称となるように、１つのアルキル部分の炭素原子数（ｎ１）は、１つのアルキル分岐の炭素原子数（ｎ２）とおよそ同じであるべきである。本明細書で使用するとき、「対称」は、本明細書で用いられる中分岐状アミンオキシドの少なくとも５０重量％、より好ましくは少なくとも７５重量％〜１００重量％が、｜ｎ１〜ｎ２｜が５以下、好ましくは４、最も好ましくは０〜４の炭素原子であることを意味する。
【００３７】
アミンオキシドは、独立して、Ｃ１〜３アルキル；Ｃ１〜３ヒドロキシアルキル基；又は平均して約１〜約３個のエチレンオキシド基を含有するポリエチレンオキシド基から選択される２つの部分を更に含む。好ましくは、２つの部分は、Ｃ１〜３アルキルから選択され、より好ましくは、両方にＣ１アルキルが選択される。
【００３８】
双性イオン性界面活性剤
他の好適な界面活性剤としては、好ましくはアルキルベタイン、アルキルアミドベタイン、アミダゾリニウムベタイン、スルホベタイン（ＩＮＣＩスルタイン）並びにホスホベタインなどのベタインのような双性イオン性界面活性剤が挙げられ、好ましくは次の式（Ｉ）に合致する。
Ｒ１−［ＣＯ−Ｘ（ＣＨ２）ｎ］ｘ−Ｎ＋（Ｒ２）（Ｒ３）−（ＣＨ２）ｍ−［ＣＨ（ＯＨ）−ＣＨ２］ｙ−Ｙ−
（Ｉ）
式中、
Ｒ１は飽和又は不飽和Ｃ６〜２２アルキル残基であり、好ましくはＣ８〜１８アルキル残基、特に飽和Ｃ１０〜１６アルキル残基、例えば、飽和Ｃ１２〜１４アルキル残基であり、
Ｘは、ＮＨ、ＮＲ４（Ｃ１〜４アルキル残基Ｒ４を有する）、Ｏ、又はＳであり；
ｎは、１〜１０の数、好ましくは２〜５、特に３であり、
ｘは０又は１、好ましくは１であり、
Ｒ２、Ｒ３は独立して、ヒドロキシエチル、好ましくはメチルなどの、ヒドロキシ置換される可能性のあるＣ１〜４アルキル残基であり、
ｍは１〜４の数、特に１、２又は３であり、
ｙは０又は１であり、
Ｙは、ＣＯＯ、ＳＯ３、ＯＰＯ（ＯＲ５）Ｏ又はＰ（Ｏ）（ＯＲ５）Ｏであり、Ｒ５は水素原子Ｈ又はＣ１〜４アルキル残基である。
【００３９】
好ましいベタインは、式（Ｉａ）のアルキルベタイン、式（Ｉｂ）のアルキルアミドプロピルベタイン、式（Ｉｃ）のスルホベタイン、及び式（Ｉｄ）のアミドスルホベタインであり；
Ｒ１−Ｎ＋（ＣＨ３）２−ＣＨ２ＣＯＯ−（Ｉａ）
Ｒ１−ＣＯ−ＮＨ（ＣＨ２）３−Ｎ＋（ＣＨ３）２−ＣＨ２ＣＯＯ−（Ｉｂ）
Ｒ１−Ｎ＋（ＣＨ３）２−ＣＨ２ＣＨ（ＯＨ）ＣＨ２ＳＯ３−（Ｉｃ）
Ｒ１−ＣＯ−ＮＨ−（ＣＨ２）３−Ｎ＋（ＣＨ３）２−ＣＨ２ＣＨ（ＯＨ）ＣＨ２ＳＯ３−（Ｉｄ）、式中、Ｒ１１は、式Ｉと同じ意味である。特に好ましいベタインは、カルボベタイン［式中、Ｙ−＝ＣＯＯ−］であり、特に式（Ｉａ）及び（Ｉｂ）のカルボベタインであり、式（Ｉｂ）のアルキルアミドベタインが最も好ましい。
【００４０】
好適なベタイン及びスルホベタインの例は、アーモンドアミドプロピルベタイン、アプリコットアミドプロピルベタイン、アボカドアミドプロピルベタイン、ババスアミドプロピルベタイン、ベヘナミドプロピルベタイン、ベヘニルベタイン、ベタイン、キャノーラミドプロピルベタイン、カプリル／カプラミドプロピルベタイン、カルニチン、セチルベタイン、コカミドエチルベタイン、コカミドプロピルベタイン、コカミドプロピルヒドロキシスルタイン、ココベタイン、ココヒドロキシスルタイン、ココ／オレアミドプロピルベタイン、ココスルタイン、デシルベタイン、ジヒドロキシエチルオレイルグリシネート、ジヒドロキシエチル大豆グリシネート、ジヒドロキシエチルステアリルグリシネート、ジヒドロキシエチルタローグリシネート、ＰＧ−ベタインのプロピルジメチコーン、エルカミドプロピルヒドロキシスルタイン、水素添加タローベタイン、イソステアラミドプロピルベタイン、ラウラミドプロピルベタイン、ラウリルベタイン、ラウリルヒドロキシスルタイン、ラウリルスルタイン、ミルクアミドプロピルベタイン、ミンクアミドプロピルベタイン、ミリスタミドプロピルベタイン、ミリスチルベタイン、オレアミドプロピルベタイン、オレアミドプロピルヒドロキシスルタイン、オレイルベタイン、オリーブアミドプロピルベタイン、ヤシアミドプロピルベタイン、パルミタミドプロピルベタイン、パルミトイルカルニチン、ヤシ仁アミドプロピルベタイン、ポリテトラフルオロエチレンアセトキシプロピルベタイン、リシノール酸アミドプロピルベタイン、セサミドプロピルベタイン、ソイアミドプロピルベタイン、ステアラミドプロピルベタイン、ステアリルベタイン、タローアミドプロピルベタイン、タローアミドプロピルヒドロキシスルタイン、タローベタイン、タロージヒドロキシエチルベタイン、ウンデシレンアミドプロピルベタイン、及び小麦胚芽アミドプロピルベタインである［ＩＮＣＩに従って表記］。
【００４１】
例えば、好ましいベタインはココアミドプロピルベタインである。
【００４２】
補助界面活性剤
補助界面活性剤は、非イオン性界面活性剤、アニオン性界面活性剤、及びその混合物からなる群から選択される。
【００４３】
非イオン性界面活性剤
好適な非イオン性界面活性剤としては、脂肪族アルコールと１〜２５モルのエチレンオキシドとの縮合生成物が挙げられる。脂肪族アルコールのアルキル鎖は、直鎖又は分岐鎖状、第１級又は第２級でよく、一般的に８〜２２個の炭素原子を含有する。特に好ましいのは、１０〜１８個の炭素原子、好ましくは１０〜１５個の炭素原子を含有するアルキル基を有するアルコールと、アルコール１モル当たり２〜１８モル、好ましくは２〜１５モル、より好ましくは５〜１２モルのエチレンオキシドとの縮合生成物である。極めて好ましい非イオン性界面活性剤は、ゲルベアルコールと、アルコール１モル当たり２〜１８モル、好ましくは２〜１５モル、より好ましくは５〜１２モルのエチレンオキシドとの縮合生成物である。
【００４４】
本明細書での使用に好適なその他の非イオン性界面活性剤には、脂肪アルコールポリグリコールエーテル、アルキルポリグルコシド、及び脂肪酸グルカミドが挙げられる。
【００４５】
アニオン性界面活性剤としては、その分子構造中に一般に８〜２２個の炭素原子又は一般に８〜１８個の炭素原子を含む有機疎水基と、水溶性化合物を形成するための、好ましくはスルホネート、サルフェート、及びカルボキシレートから選択される少なくとも１つの水可溶化基と、を含有する、界面活性化合物が挙げられるが、これらに限定されない。通常、疎水性基は、直鎖又は分岐状Ｃ８〜Ｃ２２アルキル、又はアシル基を含むこととなる。このような界面活性剤は水溶性塩の形態で使用され、塩形成カチオンは、通常、ナトリウム、カリウム、アンモニウム、マグネシウム、及びモノ、ジ又はトリ−アルカノールアンモニウムから選択され、通常選択されるカチオンはナトリウムである。
【００４６】
好ましくは、アニオン性界面活性剤はサルフェート界面活性剤である。サルフェート界面活性剤は、好ましくはアルキルエトキシサルフェートである。平均エトキシル化度が約２〜約５のアルキルエトキシサルフェートがより好ましく、平均エトキシル化度が約３であるアルキルエトキシサルフェートが最も好ましい。別の好ましいサルフェート界面活性剤としては、分岐状短鎖アルキルサルフェート、特に２−エチルヘキシルサルフェートが挙げられる。
【００４７】
サルフェートアニオン性界面活性剤
サルフェートアニオン性界面活性剤は好ましくはアルコキシ化されたものであり、より好ましくは平均アルコキシ化度が約２〜約５、最も好ましくは平均アルコキシ化度が約３のアルコキシ化サルフェートアニオン性界面活性剤である。好ましくは、アルコキシ基はエトキシである。サルフェートアニオン性界面活性剤がサルフェートアニオン性界面活性剤の混合物であるとき、アルコキシ化度は混合物の全ての組成物の重量平均アルコキシ化度（重量平均アルコキシ化度）である。重量平均アルコキシ化度の計算において、アルコキシ化された基を有さない硫酸化アニオン性界面活性剤組成物の重量も含める必要がある。
【００４８】
重量平均アルコキシ化度＝（ｘ１＊界面活性剤１のアルコキシ化度＋ｘ２＊界面活性剤２のアルコキシ化度＋．．．）／（ｘ１＋ｘ２＋．．．）
式中、ｘ１、ｘ２、．．．は、混合物の各サルフェートアニオン性界面活性剤のグラム単位の重量であり、アルコキシ化度は、各サルフェートアニオン性界面活性剤のアルコキシ基の数である。
【００４９】
分岐状の界面活性剤の場合、分岐基はアルキルであることが好ましい。典型的には、アルキルは、メチル、エチル、プロピル、ブチル、ペンチル、環状アルキル基及びこれらの混合物から選択される。単一又は複数のアルキル分岐基は、本発明の洗剤で使用するサルフェートアニオン性界面活性剤を生成するために用いる、出発アルコール（複数を含む）のヒドロカルビル主鎖に存在することができる。
【００５０】
分岐状サルフェートアニオン性界面活性剤は、単一のアニオン性界面活性剤又はアニオン性界面活性剤の混合物であり得る。単一の界面活性剤の場合、分岐の割合は、界面活性剤が誘導される元のアルコールにおいて分岐しているヒドロカルビル鎖の重量％を指す。
【００５１】
界面活性剤混合物の場合、分岐の割合は重量平均であり、以下の式に従って定義される。
【００５２】
分岐の重量平均（％）＝［（ｘ１＊アルコール１中の分岐アルコール１の重量％＋ｘ２＊アルコール２中の分岐アルコール２の重量％＋．．．）／（ｘ１＋ｘ２＋．．．）］＊１００
式中、ｘ１、ｘ２、．．．は、本発明の洗剤のアニオン性界面活性剤のための出発原料として使用したアルコールの全アルコール混合物中の各アルコールのグラム単位の重量である。重量平均分岐化度の計算において、分岐基を有さないアニオン性界面活性剤組成物の重量も含める必要がある。
【００５３】
界面活性剤系が分岐状アニオン性界面活性剤を含む場合、界面活性剤系はその少なくとも５０重量％、より好ましくは少なくとも６０重量％、好ましくは少なくとも７０重量％の分岐状アニオン性界面活性剤を含み、より好ましくは、分岐状アニオン性界面活性剤は、その５０重量％超のアルキルエトキシル化サルフェートを含み、該アルキルエトキシル化サルフェートは、約２〜約５のエトキシル化度及び好ましくは約５％〜約４０％の分岐率を有する。
【００５４】
本明細書での使用に好適なサルフェート界面活性剤としては、Ｃ８〜Ｃ１８アルキルの水溶性塩、好ましくはＣ１２〜Ｃ１４アルキル、ヒドロキシアルキル、サルフェート、及び／又はエーテルサルフェートの５０重量％超のＣ８からＣ１８アルキルを含むＣ８〜Ｃ１８アルキルを含む。好適な対イオンとしては、アルカリ金属カチオン、アルカリ土類金属カチオン、アルカノールアンモニウム、アンモニウム又は置換アンモニウムが挙げられるが、ナトリウムが好ましい。
【００５５】
サルフェート界面活性剤は、Ｃ８〜Ｃ１８のアルキルアルコキシサルフェート（ＡＥｘＳ）から選択することができ、好ましくはｘは１〜３０であり、アルコキシ基はエトキシ、プロポキシ、ブトキシ、又は更なる高級アルコキシ基及びこれらの組み合わせから選択されることができる。ここで特に好ましいのは、平均エトキシル化度が約２〜約５であるＣ１２〜Ｃ１４のアルキルエトキシサルフェートであり、好ましくは平均エトキシル化度が約３である。
【００５６】
アルキルアルコキシサルフェートは、様々な鎖長、エトキシル化度及び分岐度のものが市販されている。市販品として入手可能なサルフェートとしては、Ｓｈｅｌｌ社製のＮｅｏｄｏｌアルコール、Ｓａｓｏｌ社製のＬｉａｌ−Ｉｓａｌｃｈｅｍ及びＳａｆｏｌ、Ｐｒｏｃｔｅｒ  ＆  Ｇａｍｂｌｅ  Ｃｈｅｍｉｃａｌｓ社製の天然アルコールをベースにしたものが挙げられる。
【００５７】
アニオン性界面活性剤が分岐状であれば、その少なくとも５０重量％、より好ましくは少なくとも６０重量％、特に少なくとも７０重量％のサルフェート界面活性剤を含むことが好ましい。洗浄の点から特に好ましいのは、分岐状アニオン性界面活性剤がその５０重量％超、より好ましくは少なくとも６０重量％、特に少なくとも７０重量％のサルフェート界面活性剤を含んでおり、このサルフェート界面活性剤がアルキルサルフェート、アルキルエトキシサルフェート及びこれらの組み合わせからなる群から選択される分岐状界面活性剤である。分岐状アニオン性界面活性剤の平均エトキシル化度が約２〜約５であることが更により好ましく、平均エトキシル化度が約３であることがより好ましい。アニオン性界面活性剤の平均分岐度が約１０％〜約３５％であることが更により好ましく、約２０％〜約３０％であることがより好ましい。
【００５８】
直鎖アルキルアルコキシレートサルフェート界面活性剤は、本発明の組成物での使用に有用である。
【００５９】
分岐状短鎖アルキルサルフェート界面活性剤
この種のアニオン性界面活性剤は、しつこい油汚れに対する洗浄を実現することが確認されている。更に、アミンオキシド又はベタイン、特にアミンオキシド界面活性剤と組み合わせると優良な発泡性を示す。具体的には噴射直後の発泡が実現される。
【００６０】
本明細書において、「分岐状短鎖アルキルサルフェート」は、直鎖型アルキルサルフェート主鎖を有する界面活性剤を意味し、当該主鎖は、そのＣ１位、Ｃ２位、又はＣ３位で、好ましくはＣ２位で、１以上のＣ１〜Ｃ５、好ましくはＣ１〜Ｃ３アルキル分岐基に置換された、４〜８個、好ましくは５〜７個の炭素原子を含む。この種のアニオン性界面活性剤は、しつこい油汚れの洗浄や、良好な発泡性を実現することが確認されている。特に、組成物がアミンオキシド又はベタイン、好ましくはアミンオキシドを補助界面活性剤として有していれば、噴射後に即発泡が生じる。本明細書において使用される分岐短鎖アルキルサルフェートは、好ましくは分岐ヘキシルサルフェートであり、より好ましくは２−エチルヘキシルサルフェートである。
【００６１】
本発明の分岐状短鎖アルキルサルフェート界面活性剤は、直鎖型アルキルサルフェート主鎖のＣ１位、Ｃ２位、又はＣ３位で１以上のＣ１〜Ｃ５アルキル分岐基に置換された、４〜８個の炭素原子を含む直鎖型アルキルサルフェート主鎖を有する。分岐状短鎖アルキルサルフェート界面活性剤内の硫酸基は、Ｃ４〜Ｃ８直鎖型主鎖に末端位置で直接結合されている。
【００６２】
好ましくは、直鎖型アルキルサルフェート主鎖は、５〜７個の炭素原子を含む。好ましくは、１以上のアルキル分岐基は、メチル、エチル、プロピル、又はイソプロピルから選択される。好ましくは、分岐状短鎖アルキルサルフェート界面活性剤は、その直鎖型主鎖上に置換された分岐基を１つのみ有する。好ましくは、アルキル分岐基は、直鎖型アルキルサルフェート主鎖のＣ２位に置かれる。
【００６３】
より好ましくは、本発明の分岐状短鎖アルキルサルフェートは、直鎖型アルキルサルフェート主鎖のＣ２位でメチル、エチル、プロピルから選択される１つのアルキル分岐基に置換された、５〜７個の炭素を含む直鎖型アルキル主鎖を有する。最も好ましくは、分岐状短鎖アルキルサルフェート界面活性剤は、２−エチルヘキシルサルフェートである。
【００６４】
本発明の組成物は、調整された分岐状短鎖アルキルサルフェート界面活性剤の対応する非サルフェート化分岐状短鎖アルコール供給材料の一部を更に含む場合もある。
【００６５】
好適な分岐状短鎖アルキルサルフェート界面活性剤としては、１−メチルブチルサルフェート、１−エチルブチルサルフェート、１−プロピルブチルサルフェート、１−イソプロピルブチルサルフェート１−メチルペンチルサルフェート、１−エチルペンチルサルフェート、１−プロピルペンチルサルフェート、１−イソプロピルペンチルサルフェート１−ブチルペンチルサルフェート、１−メチルヘキシルサルフェート、１−エチルヘキシルサルフェート、１−プロピルヘキシルサルフェート、１−イソプロピルサルフェート１−ブチルヘキシルサルフェート、１−ペンチルヘキシルサルフェート、１−メチルヘプチルサルフェート、１−エチルヘプチルサルフェート、１−プロピルヘプチルサルフェート、１−イソプロピルヘプチルサルフェート、１−ブチルヘプチルサルフェート、１−ペンチルヘプチルサルフェート、１−ヘキシルヘプチルサルフェート、１−メチルオクチルサルフェート、１−エチルオクチルサルフェート、１−プロピルオクチルサルフェート、１−イソプロピルオクチルサルフェート、１−ブチルオクチルサルフェート、１−ペンチルオクチルサルフェート、１−ヘキシルオクチルサルフェート、１−ヘプチルオクチルサルフェート、２−メチルブチルサルフェート、２−エチルブチルサルフェート、２−プロピルブチルサルフェート、２−イソプロピルブチルサルフェート２−メチルペンチルサルフェート、２−エチルペンチルサルフェート、２−プロピルペンチルサルフェート、２−イソプロピルペンチルサルフェート、２−ブチルペンチルサルフェート、２−メチルヘキシルサルフェート、２−エチルヘキシルサルフェート、２−プロピルヘキシルサルフェート、２−イソプロピルヘキシルサルフェート、２−ブチルヘキシルサルフェート、２−ペンチルヘキシルサルフェート、２−メチルヘプチルサルフェート、２−エチルヘプチルサルフェート、２−プロピルヘプチルサルフェート、２−イソプロピルヘプチルサルフェート、２−ブチルヘプチルサルフェート、２−ペンチルヘプチルサルフェート、２−ヘキシルヘプチルサルフェート、２−メチルオクチルサルフェート、２−エチルオクチルサルフェート、２−プロピルオクチルサルフェート、２−イソプロピルオクチルサルフェート、２−ブチルオクチルサルフェート、２−ペンチルオクチルサルフェート、２−ヘキシルオクチルサルフェート、２−ヘプチルオクチルサルフェート、３−メチルブチルサルフェート、３−エチルブチルサルフェート、３−プロピルブチルサルフェート、３−イソプロピルブチルサルフェート、３−メチルペンチルサルフェート、３−エチルペンチルサルフェート、３−プロピルペンチルサルフェート、３−イソプロピルペンチルサルフェート、３−ブチルペンチルサルフェート、３−メチルヘキシルサルフェート、３−エチルヘキシルサルフェート、３−プロピルヘキシルサルフェート、３−イソプロピルヘキシルサルフェート、３−ブチルヘキシルサルフェート、３−ペンチルヘキシルサルフェート、３−メチルヘプチルサルフェート、３−エチルヘプチルサルフェート、３−プロピルヘプチルサルフェート、３−イソプロピルヘプチルサルフェート、３−ブチルヘプチルサルフェート、３−ペンチルヘプチルサルフェート、３−ヘキシルヘプチルサルフェート、３−メチルオクチルサルフェート、３−エチルオクチルサルフェート、３−プロピルオクチルサルフェート、３−イソプロピルオクチルサルフェート、３−ブチルオクチルサルフェート、３−ペンチルオクチルサルフェート、３−ヘキシルオクチルサルフェート、３−ヘプチルオクチルサルフェート、及びこれらの組み合わせが挙げられる。
【００６６】
より好ましくは、分岐状短鎖アルキルサルフェート界面活性剤は、１−メチルペンチルサルフェート、１−エチルペンチルサルフェート、１−プロピルペンチルサルフェート、１−ブチルペンチルサルフェート、１−メチルヘキシルサルフェート、１−エチルヘキシルサルフェート、１−プロピルヘキシルサルフェート、１−ブチルヘキシルサルフェート、１−ペンチルヘキシルサルフェート、１−メチルヘプチルサルフェート、１−エチルヘプチルサルフェート、１−プロピルヘプチルサルフェート、１−ブチルヘプチルサルフェート、１−ペンチルヘプチルサルフェート、１−ヘキシルヘプチルサルフェート、２−メチルペンチルサルフェート、２−エチルペンチルサルフェート、２−プロピルペンチルサルフェート、２−ブチルペンチルサルフェート、２−メチルヘキシルサルフェート、２−エチルヘキシルサルフェート、２−プロピルヘキシルサルフェート、２−ブチルヘキシルサルフェート、２−ペンチルヘキシルサルフェート、２−メチルヘプチルサルフェート、２−エチルヘプチルサルフェート、２−プロピルヘプチルサルフェート、２−ブチルヘプチルサルフェート、２−ペンチルヘプチルサルフェート、２−ヘキシルヘプチルサルフェート、３−メチルペンチルサルフェート、３−エチルペンチルサルフェート、３−プロピルペンチルサルフェート、３−ブチルペンチルサルフェート、３−メチルヘキシルサルフェート、３−エチルヘキシルサルフェート、３−プロピルヘキシルサルフェート、３−ブチルヘキシルサルフェート、３−ペンチルヘキシルサルフェート、３−メチルヘプチルサルフェート、３−エチルヘプチルサルフェート、３−プロピルヘプチルサルフェート、３−ブチルヘプチルサルフェート、３−ペンチルヘプチルサルフェート、３−ヘキシルヘプチルサルフェート、及びこれらの組み合わせから選択される。
【００６７】
更により好ましくは、分岐状短鎖アルキルサルフェート界面活性剤は、２−メチルペンチルサルフェート、２−エチルペンチルサルフェート、２−プロピルペンチルサルフェート、２−ブチルペンチルサルフェート、２−メチルヘキシルサルフェート、２−エチルヘキシルサルフェート、２−プロピルヘキシルサルフェート、２−ブチルヘキシルサルフェート、２−ペンチルヘキシルサルフェート、２−メチルヘプチルサルフェート、２−エチルヘプチルサルフェート、２−プロピルヘプチルサルフェート、２−ブチルヘプチルサルフェート、２−ペンチルヘプチルサルフェート、２−ヘキシルヘプチルサルフェート、及びこれらの組み合わせから選択される。
【００６８】
更により好ましくは、分岐状短鎖アルキルサルフェート界面活性剤は、２−メチルペンチルサルフェート、２−エチルペンチルサルフェート、２−プロピルペンチルサルフェート、２−メチルヘキシルサルフェート、２−エチルヘキシルサルフェート、２−プロピルヘキシルサルフェート、２−メチルヘプチルサルフェート、２−エチルヘプチルサルフェート、２−プロピルヘプチルサルフェート、及びこれらの組み合わせから選択される。
【００６９】
最も好ましい分岐状短鎖アルキルサルフェート界面活性剤は２−エチルヘキシルサルフェートである。この化合物は、Ｅｎａｓｐｏｌ社の製品名Ｓｙｎｔａｐｏｎ  ＥＨや、Ｈｕｎｔｓｍａｎ社のＥｍｐｉｃｏｌ  ０５８５Ｕとして市販されている。
【００７０】
グリコールエーテル溶剤
本発明の組成物は、式１、式２のグリコールエーテルから選択されるグリコールエーテル溶剤を含む。
式１＝Ｒ１Ｏ（Ｒ２Ｏ）ｎＲ３
式中、
Ｒ１は直鎖又は分岐状Ｃ４、Ｃ５又はＣ６アルキル、置換又は非置換フェニル、好ましくはｎ−ブチルであり（ここでは置換フェニルの１つとしてベンジルが挙げられる）、
Ｒ２はエチル又はイソプロピル、好ましくはイソプロピルであり、
Ｒ３は、水素又はメチルから選択され、好ましくは水素であり、
ｎは１、２、又は３、好ましくは１又は２である。
式２＝Ｒ４Ｏ（Ｒ５Ｏ）ｎＲ６
式中、
Ｒ４はｎ−プロピル又はイソプロピル、好ましくはｎ−プロピルであり、
Ｒ５はイソプロピルであり、
Ｒ６は水素又はメチル、好ましくは水素であり、
ｎは１、２、又は３、好ましくは１又は２である。
【００７１】
式Ｉによる好適なグリコールエーテル溶剤としては、エチレングリコールｎ−ブチルエーテル、ジエチレングリコールｎ−ブチルエーテル、トリエチレングリコールｎ−ブチルエーテル、プロピレングリコールｎ−ブチルエーテル、ジプロピレングリコールｎ−ブチルエーテル、トリプロピレングリコールｎ−ブチルエーテル、エチレングリコールｎ−ペンチルエーテル、ジエチレングリコールｎ−ペンチルエーテル、トリエチレングリコールｎ−ペンチルエーテル、プロピレングリコールｎ−ペンチルエーテル、ジプロピレングリコールｎ−ペンチルエーテル、トリプロピレングリコールｎ−ペンチルエーテル、エチレングリコールｎ−ヘキシルエーテル、ジエチレングリコールｎ−ヘキシルエーテル、トリエチレングリコールｎ−ヘキシルエーテル、プロピレングリコールｎ−ヘキシルエーテル、ジプロピレングリコールｎ−ヘキシルエーテル、トリプロピレングリコールｎ−ヘキシルエーテル、エチレングリコールフェニルエーテル、ジエチレングリコールフェニルエーテル、トリエチレングリコールフェニルエーテル、プロピレングリコールフェニルエーテル、ジプロピレングリコールフェニルエーテル、トリプロピレングリコールフェニルエーテル、エチレングリコールベンジルエーテル、ジエチレングリコールベンジルエーテル、トリエチレングリコールベンジルエーテル、プロピレングリコールベンジルエーテル、ジプロピレングリコールベンジルエーテル、トリプロピレングリコールベンジルエーテル、エチレングリコールイソブチルエーテル、ジエチレングリコールイソブチルエーテル、トリエチレングリコールイソブチルエーテル、プロピレングリコールイソブチルエーテル、ジプロピレングリコールイソブチルエーテル、トリプロピレングリコールイソブチルエーテル、エチレングリコールイソペンチルエーテル、ジエチレングリコールイソペンチルエーテル、トリエチレングリコールイソペンチルエーテル、プロピレングリコールイソペンチルエーテル、ジプロピレングリコールイソペンチルエーテル、トリプロピレングリコールイソペンチルエーテル、エチレングリコールイソヘキシルエーテル、ジエチレングリコールイソヘキシルエーテル、トリエチレングリコールイソヘキシルエーテル、プロピレングリコールイソヘキシルエーテル、ジプロピレングリコールイソヘキシルエーテル、トリプロピレングリコールイソヘキシルエーテル、エチレングリコールｎ−ブチルメチルエーテル、ジエチレングリコールｎ−ブチルメチルエーテルトリエチレングリコールｎ−ブチルメチルエーテル、プロピレングリコールｎ−ブチルメチルエーテル、ジプロピレングリコールｎ−ブチルメチルエーテル、トリプロピレングリコールｎ−ブチルメチルエーテル、エチレングリコールｎ−ペンチルメチルエーテル、ジエチレングリコールｎ−ペンチルメチルエーテル、トリエチレングリコールｎ−ペンチルメチルエーテル、プロピレングリコールｎ−ペンチルメチルエーテル、ジプロピレングリコールｎ−ペンチルメチルエーテル、トリプロピレングリコールｎ−ペンチルメチルエーテル、エチレングリコールｎ−ヘキシルメチルエーテル、ジエチレングリコールｎ−ヘキシルメチルエーテル、トリエチレングリコールｎ−ヘキシルメチルエーテル、プロピレングリコールｎ−ヘキシルメチルエーテル、ジプロピレングリコールｎ−ヘキシルメチルエーテル、トリプロピレングリコールｎ−ヘキシルメチルエーテル、エチレングリコールフェニルメチルエーテル、ジエチレングリコールフェニルメチルエーテル、トリエチレングリコールフェニルメチルエーテル、プロピレングリコールフェニルメチルエーテル、ジプロピレングリコールフェニルメチルエーテル、トリプロピレングリコールフェニルメチルエーテル、エチレングリコールベンジルメチルエーテル、ジエチレングリコールベンジルメチルエーテル、トリエチレングリコールベンジルメチルエーテル、プロピレングリコールベンジルメチルエーテル、ジプロピレングリコールベンジルメチルエーテル、トリプロピレングリコールベンジルメチルエーテル、エチレングリコールイソブチルメチルエーテル、ジエチレングリコールイソブチルメチルエーテル、トリエチレングリコールイソブチルメチルエーテル、プロピレングリコールイソブチルメチルエーテル、ジプロピレングリコールイソブチルメチルエーテル、トリプロピレングリコールイソブチルメチルエーテル、エチレングリコールイソペンチルメチルエーテル、ジエチレングリコールイソペンチルメチルエーテル、トリエチレングリコールイソペンチルメチルエーテル、プロピレングリコールイソペンチルメチルエーテル、ジプロピレングリコールイソペンチルメチルエーテル、トリプロピレングリコールイソペンチルメチルエーテル、エチレングリコールイソヘキシルメチルエーテル、ジエチレングリコールイソヘキシルメチルエーテル、トリエチレングリコールイソヘキシルメチルエーテル、プロピレングリコールイソヘキシルメチルエーテル、ジプロピレングリコールイソヘキシルメチルエーテル、トリプロピレングリコールイソヘキシルメチルエーテル、及びこれらの組み合わせが挙げられる。
【００７２】
式１による好ましいグリコールエーテル溶剤は、エチレングリコールｎ−ブチルエーテル、ジエチレングリコールｎ−ブチルエーテル、トリエチレングリコールｎ−ブチルエーテル、プロピレングリコールｎ−ブチルエーテル、ジプロピレングリコールｎ−ブチルエーテル、トリプロピレングリコールｎ−ブチルエーテル、及びこれらの組み合わせである。
【００７３】
式２による最も好ましいグリコールエーテルは、プロピレングリコールｎ−ブチルエーテル、ジプロピレングリコールｎ−ブチルエーテル、及びこれらの組み合わせである。
【００７４】
式２による好適なグリコールエーテル溶剤としては、プロピレングリコールｎ−プロピルエーテル、ジプロピレングリコールｎ−プロピルエーテル、トリプロピレングリコールｎ−プロピルエーテル、プロピレングリコールイソプロピルエーテル、ジプロピレングリコールイソプロピルエーテル、トリプロピレングリコールイソプロピルエーテル、プロピレングリコールｎ−プロピルメチルエーテル、ジプロピレングリコールｎ−プロピルメチルエーテル、トリプロピレングリコールｎ−プロピルメチルエーテル、プロピレングリコールイソプロピルメチルエーテル、ジプロピレングリコールイソプロピルメチルエーテル、トリプロピレングリコールイソプロピルメチルエーテル、及びこれらの組み合わせが挙げられる。
【００７５】
式２による好ましいグリコールエーテル溶剤は、プロピレングリコールｎ−プロピルエーテル、ジプロピレングリコールｎ−プロピルエーテル、及びこれらの組み合わせである。
【００７６】
最も好ましいグリコールエーテル溶剤は、プロピレングリコールｎ−ブチルエーテル、ジプロピレングリコールｎ−ブチルエーテル、及びこれらの組み合わせ、特にジプロピレングリコールｎ−ブチルエーテルである。
【００７７】
好適なグリコールエーテル溶剤は、Ｔｈｅ  Ｄｏｗ  Ｃｈｅｍｉｃａｌ  Ｃｏｍｐａｎｙ社から購入可能であり、特にＥシリーズ（エチレングリコール系）グリコールエーテル及びＰシリーズ（プロピレングリコール系）グリコールエーテル製品が挙げられる。好適なグリコールエーテル溶剤としては、ブチルカルビトール、ヘキシルカルビトール、ブチルセロソルブ、ヘキシルセロソルブ、ブトキシトリグリコール、Ｄｏｗａｎｏｌ  Ｅｐｈ、Ｄｏｗａｎｏｌ  ＰｎＰ、Ｄｏｗａｎｏｌ  ＤＰｎＰ、Ｄｏｗａｎｏｌ  ＰｎＢ、Ｄｏｗａｎｏｌ  ＤＰｎＢ、Ｄｏｗａｎｏｌ  ＴＰｎＢ、Ｄｏｗａｎｏｌ  ＰＰｈ、及びこれらの組み合わせが挙げられる。
【００７８】
本発明の製品のグリコールエーテルは、泡立ちを良くすることができる。
【００７９】
グリコールエーテル溶剤は、組成物の約１重量％〜約１０重量％、好ましくは約２〜約８重量％、最も好ましくは約３重量％〜約７重量％で存在する。
【００８０】
キレート剤
本明細書の組成物は、キレート剤を組成物の総量の０．１重量％〜１０%重量％、好ましくは０．２重量％〜５重量％、より好ましくは０．２重量％〜３重量％、最も好ましくは０．５重量％から１．５重量％の濃度で任意で更に含んでもよい。
【００８１】
好適なキレート剤は、アミノカルボキシレート、アミノホスホネート、多官能置換された芳香族キレート剤、及びこれらの混合物からなる群から選択することができる。
【００８２】
アミノカルボキシレートには、エチレンジアミンテトラ−アセテート、Ｎ−ヒドロキシエチルエチレンジアミントリアセテート、ニトリロ−トリアセテート、エチレンジアミンテトラプロプリオネート、トリエチレンテトラアミンヘキサアセテート、ジエチレントリアミンペンタアセテート、及びエタノールジグリシン、及びアルカリ金属、アンモニウム、その置換アンモニウム塩、及びこれらの組み合わせ、更にＭＧＤＡ（メチルグリシン二酢酸）、その塩及び誘導体、及びＧＬＤＡ（グルタミン酸−Ｎ，Ｎ−二酢酸）、その塩及び誘導体が含まれる。ＧＬＤＡ（その塩及び誘導体）は、本発明によれば特に好ましく、そのテトラナトリウム塩が特に好ましい。
【００８３】
ビルダー
本明細書の組成物は、ビルダー、好ましくはカルボン酸ビルダーを含んでもよい。本明細書で有用なカルボン酸塩としては、Ｃ１〜６の直鎖状の酸、又は少なくとも３個の炭素を含有する環状の酸が挙げられる。カルボン酸又はその塩の、直鎖若しくは環状炭素含有鎖は、水酸基、エステル基、エーテル基、１〜６個の、より好ましくは１〜４個の炭素原子を有する脂肪族基、及びこれらの組み合わせからなる群から選択される置換基で、置換されてもよい。
【００８４】
好ましいカルボン酸塩は、サリチル酸、マレイン酸、アセチルサリチル酸、３−メチルサリチル酸、４−ヒドロキシイソフタル酸、ジヒドロキシフマル酸、１，２，４ベンゼントリカルボン酸、ペンタン酸、クエン酸、及びこれらの組み合わせからなる群からの塩から選択され、好ましくはクエン酸が用いられる。
【００８５】
本発明の組成物での使用に好適な他のカルボン酸ビルダーとして、パーム核由来の脂肪酸、ヤシ由来の脂肪酸等の脂肪酸の塩や、ポリカルボン酸塩が挙げられる。
【００８６】
その塩のカチオンは、好ましくは、アルカリ金属、アルカリ土類金属、モノエタノールアミン、ジエタノールアミン、又はトリエタノールアミン、並びにこれらの組み合わせから選択され、好ましくはナトリウムが用いられる。
【００８７】
カルボン酸又はその塩が存在する場合、その濃度は好ましくは組成物全体の０．１重量％〜５重量％、より好ましくは０．２重量％〜１重量％、となる。
【００８８】
擬塑性レオロジー調整剤
本発明の組成物は更に、レオロジー調整剤を含んでもよい。これにより製品が擬塑性流動が可能となる。好ましくは、レオロジー調整剤は、非結晶質ポリマーレオロジー調整剤である。ポリマーレオロジー調整剤は合成されたものあっても、自然由来のポリマーであってもよい。
【００８９】
本発明において使用される天然由来のポリマー構造化剤の例としては、ヒドロキシエチルセルロース、疎水修飾ヒドロキシエチルセルロース、カルボキシメチルセルロース、多糖誘導体、及びこれらの混合物が挙げられる。多糖誘導体としては、ペクチン、アルギン酸塩、アラビノガラクタン（アラビアゴム）、カラギーナン、カラヤゴム、トラガカントガム、ジェランガム、キサンタンガム、及びグアーガムが挙げられるが、これらに限定されない。本発明において使用される合成ポリマー構造化剤の例としては、ポリカルボン酸塩、ポリアクリル酸塩、ポリウレタン、ポリビニルピロリドン、ポリオール、及びこれらの誘導体やこれらの組み合わせを含むポリマー及びコポリマーが挙げられる。
【００９０】
本発明の組成物は、好ましくは天然由来のレオロジー調整剤ポリマーを含み、最も好ましくはキサンタンガムを含む。
【００９１】
一般的に、レオロジー調整ポリマーは、組成物の０．００１重量％〜１重量％、或いは０．０１重量％〜０．５重量％、更には０．０５重量％〜０．２５重量％の濃度で含まれる。
【００９２】
その他任意の成分
ここでの組成物は、多数の任意成分を含んでもよい。当該成分としては、好ましくは塩化ナトリウムである無機塩、Ｃ２〜Ｃ４アルコール、Ｃ２〜Ｃ４ポリオール、ポリアルキレングリコール、ヒドロトロープ、及びこれらの組み合わせから選択される、レオロジー調整剤を含んでもよい。組成物は更に、ｐＨ調整及び／又は緩衝剤を含んでもよい。具体的には水酸化ナトリウムやモノエタノールアミンを含むアルカノールアミンや、重炭酸無機塩等である。組成物は、保存剤、ＵＶ安定剤、抗酸化剤、芳香剤、着色剤、及びその混合物から選択されるその他少量成分を更に含んでもよい。
【００９３】
粘度
製品の流動曲線を、レオメーター（ＴＡインスツルメント製。型番ＤＨＲ１））、ペルチェ同心円筒温度測定システム（ＴＡインスツルメント製）、二重ギャップカップとローター（ＴＡインスツルメント製）を使用して測定した。当該流動曲線処理は、調整工程と、２０℃でのフローランピング工程とを含む。調整工程は、１０ｓ−１の剪断速度での３０秒間の前剪断工程と、その後の１２０秒間の剪断を行わない平衡時間とを含む。フローランピング工程は、３００秒間で対数剪断速度を０．００１ｓ−１から１００００ｓ−１まで上昇させることを含む。データフィルターを、使用器具の推奨される、２０μＮｍ（最小トルク値）に設定する。
【００９４】
「低剪断粘度」とは、剪断速度１００ｓ−１で測定した粘度を意味する。「高剪断粘度」とは、剪断速度１００００ｓ−１で測定した粘度を意味する。
【００９５】
スプレーディスペンサ
スプレーディスペンサは、本発明の組成物を収容する筐体と、噴射手段とを有する。適切なディスペンサとしては、ハンドポンプ（「トリガー式」とも称する）装置、加圧缶装置、静電スプレー装置等が挙げられる。好ましくは、スプレーディスペンサは非加圧で、噴射手段はトリガー式噴射型であることが好ましい。好ましくは、スプレーディスペンサは非加圧で、噴射手段はトリガー式噴射型であることが好ましい。
【実施例】
【００９６】
本発明の範囲内外の組成物によるオイルの洗浄を油ディスク状油が崩れるまでの時間を測定することで評価した。
【００９７】
試験は外気２１℃±２℃で実施された。この温度範囲は全ての使用される製品に適用される。
【００９８】
ペトリ皿（１）（ＶＷＲ製品番号３９１−０４４１／φ９０ｍｍ）を、開口部（２）を上に向けて水面に置く。より小さい第２ペトリ皿（３）（ＶＷＲ製品番号３９１−０８６６／φ５５ｍｍ）を、開口部（４）を下に向けて、第１ペトリ皿の中心に置く。小ペトリ皿に孔（５）を設ける。孔（５）は、それを通じてマイクロピペットにより、製品を投与可能なほど大きくするべきである。孔を設ける差際、側壁（６）の構造的完全性を維持するよう注意する。即ち、側壁は円形に保たれるべきである。使い捨て可能な先端部（Ｅｐｐｅｎｄｏｒｆ製品番号０２２２６６．５０１／Ｃｏｍｂｉｔｉｐ  Ｐｌｕｓ  １０ｍＬ容量）を有するマイクロピペット（Ｅｐｐｅｎｄｏｒｆ製品番号４９８６０００．０２５／Ｍｕｌｔｉｐｅｔｔｅ  ＸＳｔｒｅａｍ）を使用して、オリーブオイル（Ｂｅｒｔｏｌｌｉ製Ｏｌｉｖｅ  Ｏｉｌ  Ｃｌａｓｓｉｃｏ）２ｍＬを小ペトリ皿（７）の孔を通して投与する。使い捨て可能な先端部（Ｅｐｐｅｎｄｏｒｆ製品番号００３００８９．４８０／Ｃｏｍｂｉｔｉｐ  Ａｄｖａｎｃｅｄ  ５０ｍＬ容量）を有するマイクロピペット（Ｅｐｐｅｎｄｏｒｆ製品番号４９８６０００．０２５／Ｍｕｌｔｉｐｅｔｔｅ  ＸＳｔｒｅａｍ）を使用して、内ペトリ皿（８）を囲繞する大ペトリ皿の濠内に、脱イオン水１２ｍＬを投与する。これにより、水濠（１０）に囲繞されながら、内ペトリ皿から物理的に離間した中心部（９）に島状油が形成される。その後、丁寧に内ペトリ皿を取り除き（１１）、図１に示すような油−水界面（１２）を作る。
【００９９】
使い捨て可能な先端部（Ｅｐｐｅｎｄｏｒｆ製品番号００３００７３．４６０／Ｅｔｉｐｓ  Ｒｅｌｏａｄｓ  ５０〜１０００μｌ容量）マイクロピペット（Ｅｐｐｅｎｄｏｒｆ製品番号４８３１０００．７３２／Ｘｐｌｏｒｅｒ  Ｐｌｕｓ  １０００μｌ）を使用して、洗浄組成物を投与する。マイクロピペットの投与速度は最速とする。その後、製品５０μｌを、約１ｃｍの高さから、ディスク状油中心に向けて投与する（１３）。製品投与の瞬間に、タイマーを開始する。ディスク状油が油−水界面で崩れると、タイマーを停止して、時間を秒単位で記録する。１８０秒経過しても端点検出がない場合、試験を中止する。統計分析が可能となるよう、試験は４回繰り返され、平均破過時間が報告される。
【０１００】
【表１】
2018522117.tif 000003
【０１０１】
実施例Ａは本発明の組成物を示す。比較例Ａ、Ｂ、Ｃ、Ｄは本発明の範囲外の組成物を示す。比較例Ａ及びＢは、実施例Ａに対して一点異なっている。即ち、本発明の溶剤を抜いたものが比較例Ａで、分離して試験されたものが比較例Ｂである。比較例Ｃは、従来の界面活性剤を含む食器手洗い洗剤の低活性版を示し、比較例Ｄは、自動織機洗浄用の前処理に使用されるスプレー洗剤組成物を示す。これは２００８年にベルギーでＤｒｅｆｔ  Ｐｏｗｅｒ  Ｓｐｒａｙとして市販されたものである。以下の表中のデータから、本発明の組成物が、本発明の範囲外の例示的組成物よりも、ディスク状油崩壊時間が大幅に短いことが明らかである。実施例Ａの組成物の方が、比較例の組成物よりも優れた洗浄性を示す。
【０１０２】
【表２】
2018522117.tif 000004
【図１】
2018522117.tif 000005
【国際調査報告】
2018522117.tif 000006
2018522117.tif 000007